【手続補正書】
【提出日】平成19年8月9日(2007.8.9)
【手続補正１】
【補正対象書類名】明細書
【補正対象項目名】特許請求の範囲
【補正方法】変更
【補正の内容】
【特許請求の範囲】
【請求項１】  １サンプル／１シンボル・パルス符号変調ＤＣ中心残留側波帯変換器を含む装置であって、
所定のサンプリング周波数のレートで第１の手段に入力として供給される１サンプル／１シンボルの連続するＰＣＭシンボルのサンプルからなる継続するサンプルされたデータ・ストリームに応答して、１サンプル／１シンボルのサンプル値をもった継続するＤＣ中心の実数部（±Ｒ）のサンプルされた出力ストリームを、上記所定のサンプリング周波数の上記レートで取り出す、上記第１の手段であって、上記サンプルされたデータ出力ストリームの４個の連続する１サンプル／１シンボルのサンプル値の任意のシーケンスの各サンプル値は、継続するデータ変調された余弦波のサイクルの４つの象限の個々の象限に対応する、上記第１の手段と、
上記第１の手段からの上記±Ｒのサンプルされたデータ出力ストリームに応答して、１サンプル／１シンボルのサンプル値をもった各ＤＣ中心の実数部（±Ｒ）および虚数部（±Ｉ）のサンプルされたデータ出力ストリームを複素出力として取り出す、２分岐形多重化Ｎタップ・ルート・ナイキストＦＩＲフィルタと、
を含む、上記装置。
【請求項２】  上記第１の手段は、
変調器と、
上記変調器の変調入力に結合された１サンプル／１シンボルの連続するＰＣＭシンボルのサンプルの上記継続するサンプルされたデータ・ストリームのソースと、
上記変調器のキャリア入力に結合された、上記所定のサンプリング周波数のレートで生じる上記継続するサンプルされたキャリア・ストリームのソースと、
を含み、上記サンプルされたキャリア・ストリームは１、−１、−１、１のサンプル値の反復する４サンプル・シーケンスと、を含み、
これによって上記変調器は、上記フィルタに入力として供給される１サンプル／１シンボルのサンプル値からなる上記±Ｒのサンプルされたデータ変調された出力ストリームを取り出す、請求項１に記載の装置。
【請求項３】  上記第１の手段はさらに、
上記継続するサンプルされたキャリア・ストリームの上記ソースに結合されたキャリア入力を有する第２の変調器と、
上記第２の変調器の変調入力に供給されるＰＣＭパイロットＤＣオフセット値のソースと、を含み、
これによって上記第２の変調器からのサンプル値のサンプルされた±Ｒ変調された出力ストリームが上記Ｎタップ・フィルタに対する第２の入力に結合される、請求項２に記載の装置。
【請求項４】  上記Ｎタップ・フィルタの数値Ｎは、所定の奇数値であり、
上記Ｎタップ・フィルタは、
上記Ｎタップ・フィルタの偶数タップ０から偶数タップＮ−１まで延びる、すべてが偶数値のタップからなる第１の（Ｎ＋１）／２タップのサブフィルタと、
上記Ｎタップ・フィルタの奇数タップ１から奇数タップＮ−２まで延びる、すべてが奇数値のタップからなる第２の（Ｎ＋１）／２タップのサブフィルタと、
を含み、
上記第１の手段からの１サンプル／１シンボルのサンプル値の上記±Ｒのサンプルされたデータ出力ストリームは、上記第１のサブフィルタの上記（Ｎ＋１）／２個のタップのすべてに、および上記第２のサブフィルタの上記（Ｎ−１）／２個のタップのすべてに入力として供給され、
上記第１および第２のサブフィルタに含まれる遅延回路、および第１のマルチプレクス位置と第２のマルチプレクス位置との間でトグルされるマルチプレクサは、（１）上記マルチプレクサが第１のマルチプレクス位置を占めるときは、上記第１のサブフィルタからの±Ｒのサンプルされたデータ出力ストリームを上記フィルタからの±Ｒのサンプルされたデータ出力ストリームに導き、（２）上記マルチプレクサが上記第１のマルチプレクス位置を占めるときは、上記第２のサブフィルタからの±Ｉのサンプルされたデータ出力ストリームを上記フィルタからの±Ｉのサンプルされたデータ出力ストリームに導き、（３）上記マルチプレクサが第２のマルチプレクス位置を占めるときは、上記第２のサブフィルタからの±Ｒのサンプルされたデータ出力ストリームを上記フィルタからの上記±Ｒのサンプルされたデータ出力ストリームに導き、（４）上記マルチプレクサが上記第２のマルチプレクス位置を占めるときは、上記第１のサブフィルタからの±Ｉのサンプルされたデータ出力ストリームを上記フィルタからの上記±Ｉのサンプルされたデータ出力ストリームに導き、
上記遅延手段は、上記第１および第２のサブフィルタからの上記サンプルされたデータ出力ストリームの等時性的に生じるサンプル値間の１クロック周期の相対遅延を導入し、
上記フィルタからの上記±Ｒおよび±Ｉのサンプルされたデータ出力ストリームの等時性的に生ずるサンプル値は同じシンボルを指定する、請求項２に記載の装置。
【請求項５】  上記Ｎタップ・フィルタは、入力重付けされたＮタップ・フィルタである請求項４に記載の装置。
【請求項６】  上記入力重付けされたＮタップ・フィルタは、
第１の組の２クロック周期遅延ラッチであって、その各々が上記第１のサブフィルタの偶数タップ２乃至偶数タップＮ−１の各別のものに関連している上記第１の組の２クロック周期遅延ラッチと、
第１の組の合計器であって、その各々が上記第１の組の２クロック周期遅延ラッチの各々の間に結合されており、またその各々が上記第１のサブフィルタの偶数タップの各別のものに関連している上記第１の組の合計器と、
第１の組の乗算器であって、その各々が上記第１のサブフィルタの上記第１の組の合計器の各別のものに結合された出力を有し、また乗算された入力として供給される上記第１の手段からの上記±Ｒのサンプルされたデータ出力ストリームと乗算器の入力としてこれに供給される係数値とを有する上記第１の組の乗算器と、
第２の組の２クロック周期遅延ラッチであって、その各々が上記第２のサブフィルタの奇数タップ３乃至奇数タップＮ−２の各別のものに関連している上記第２の組の２クロック周期遅延ラッチと、
第２の組の合計器であって、その各々が上記第２の組の２クロック周期遅延ラッチの各々の間に結合されており、またその各々が上記第２のサブフィルタの奇数タップの各別のものに関連している上記第２の組の合計器と、
第２の組の乗算器であって、その各々が上記第２のサブフィルタの上記第２の組の合計器の各別のものに結合された出力を有し、また乗算された入力として供給される上記第１の手段からの上記±Ｒのサンプルされたデータ出力ストリームと乗算器の入力としてこれに供給される係数値とを有する上記第２の組の乗算器と、
を含む、請求項５に記載の装置。
【請求項７】  上記第１のサブフィルタおよび第２のサブフィルタに含まれる上記遅延手段は、
上記偶数タップ０の合計器からの加算サンプル値のサンプルされたデータ出力ストリームを上記乗算器の第１の入力に転送する、上記第１のサブフィルタ中の１クロック周期遅延ラッチと、
上記奇数タップ１の合計器からの加算サンプル値のサンプルされたデータ出力ストリームを上記乗算器の第２の入力に転送する、上記第２のサブフィルタ中の２クロック周期遅延手段と、
を含む、請求項６に記載の装置。
【請求項８】  上記第２のサブフィルタ中の上記転送用２クロック周期遅延手段は、第１および第２の縦続接続された１クロック周期遅延ラッチを含み、
上記合計器は、上記第２のサブフィルタ中の上記縦続接続された１クロック周期遅延ラッチの第１のものの出力と上記縦続接続された１クロック周期遅延ラッチの第２のものへの入力との間に結合された入力および出力と、上記サンプル値の±Ｒのサンプルされたパイロット出力ストリームを受信する第２の入力とを有する、請求項７に記載の装置。
【請求項９】  上記第１の手段は、さらに、
上記継続するサンプルされたキャリア・ストリームの上記ソースに結合されたキャリア入力を有する第２の変調器と、
上記第２の変調器の変調入力に結合されたＰＣＭパイロットＤＣオフセット値のソースと、を含み、
サンプル値の上記±Ｒのサンプルされたパイロット出力ストリームは、上記第２の変調器によって与えられる、請求項８に記載の装置。
【請求項１０】  １サンプル／１シンボルＰＣＭデータを１サンプル／１シンボルＤＣ中心信号に変換する方法であって、
所定のサンプル・レートで１サンプル／１シンボルＰＣＭデータを供給するステップと、
サンプル値の反復する４サンプル・シーケンスのキャリア・ストリームを供給するステップと、
上記キャリア・ストリームを上記１サンプル／１シンボルＰＣＭデータで変調するステップと、
変調された信号を２分岐形多重化Ｎタップ・ルート・ナイキスト・フィルタで濾波して、１サンプル／１シンボル・サンプルの各ＤＣ中心の実数部（±Ｒ）および虚数部（±Ｉ）のサンプルされたデータ出力ストリームを有する２分岐形複素出力信号を生成するステップと、
を含む、上記方法。
【請求項１１】  ＰＣＭパイロットＤＣオフセット値を供給するステップと、
上記キャリア・ストリームを上記ＰＣＭパイロットＤＣオフセット値で変調して第２の変調された信号を発生するステップと、
上記第２の変調された信号からのサンプル値の継続するサンプルされた±Ｒの変調された出力ストリームを上記Ｎタップ・ルート・ナイキストＦＩＲフィルタへの第２の入力として組入れるステップと、
を含む、請求項１０に記載の方法。